(57)【要約】      （修正有）【課題】後方側に移動フードを設けたリール装着部を有する釣竿において、魚とのやりとりの際にナット部材を緩めることを防止できると共に、魚とのやりとりの操作性に優れた釣竿を提供する。【解決手段】ナット部材１８は、雌ねじを有するナット部材本体１８Ａと、該ナット部材本体１８Ａの外側に設けられていると共に、ナット部材本体１８Ａの長さよりも短くて筒状移動フード体１６との境界近くに配設されており、ナット部材本体１８Ａに対して回転可能であって、後端側に位置する規制部１８Ｃによって後方への抜け移動を規制されている筒体１８Ｂとを有し、標準サイズのスピニングリールを装着した状態で把持した手の一部がナット部材１８に届く寸法位置関係にあるよう構成する。【選択図】図１
2005185212.tif 000002
【特許請求の範囲】
【請求項１】
筒状リール装着部本体の前側部に固定フードが配設され、該固定フードの後方側に移動フードを有する筒状移動フード体が対向配置されており、前記筒状リール装着部本体の後部外周に雄ねじが設けられ、該雄ねじと螺合する雌ねじを内周に有するナット部材が前記筒状移動フード体の後側に配置されて該筒状移動フード体を前後に駆動してリールの足を緊締、解除できるリール装着部を有する釣竿において、
ナット部材は、
前記雌ねじを有するナット部材本体と、
該ナット部材本体の外側に設けられていると共に、ナット部材本体の長さよりも短くて前記筒状移動フード体との境界近くに配設されており、ナット部材本体に対して回転可能であって、後端側に位置する規制部によって後方への抜け移動を規制されている筒体とを有し、
該釣竿に使用する標準サイズのスピニングリールを装着した状態で把持した手の一部が前記ナット部材に届く寸法位置関係にある
ことを特徴とする釣竿。
【請求項２】
前記ナット部材本体が合成樹脂で形成されており、前記筒体はナット部材本体よりも硬質であり、ナット部材本体外径と筒体内径との差は、ナットの摘み部を摘んでナット部材本体を回動させてリール足を強く緊締した場合に、その横断面形状が楕円状等の断面非円形に変形する際に、前記筒体の内周面との当接によって前記変形を押さえることができる程の径差である請求項１記載の釣竿。
【発明の詳細な説明】
【技術分野】
【０００１】
本発明は、前側に固定フードを有し、後方側に移動フードを有し、該移動フードをナット部材を用いて前後動させるリール装着部を有する釣竿に関する。例えば、磯竿等に適用できる。
【背景技術】
【０００２】
スピニングリールを装着した磯竿等では、魚が掛った際に該魚が左右に走るため、これとのやりとりのために、釣竿を左右上下等に操る操作を行なわなければならない。この際、自在な操作を可能にさせるため、把持した手の手首を自由にしておく必要がある。このため、手首近くの掌は、釣竿に対して固定させるのではなく、自在に動かすことになる。
【発明の開示】
【発明が解決しようとする課題】
【０００３】
然しながら、リールを把持した手の掌がナット部材に達する寸法関係のリール装着部を有する場合は、掌がナット部材の表面に擦れて、その手や手首の動きを阻害する。また、ナット部材を緩めてしまうこともあり、これにより、装着したリールが緩むこともある。
従って、解決しようとする課題は、後方側に移動フードを有し、該移動フードをナット部材を用いて前後動させるリール装着部を有する釣竿において、魚とのやりとりの際にナット部材を緩めることを防止できると共に、魚とのやりとりの操作性に優れた釣竿の提供である。
【課題を解決するための手段】
【０００４】
請求項１において、筒状リール装着部本体の前側部に固定フードが配設され、該固定フードの後方側に移動フードを有する筒状移動フード体が対向配置されており、前記筒状リール装着部本体の後部外周に雄ねじが設けられ、該雄ねじと螺合する雌ねじを内周に有するナット部材が前記筒状移動フード体の後側に配置されて該筒状移動フード体を前後に駆動してリールの足を緊締、解除できるリール装着部を有する釣竿において、ナット部材は、前記雌ねじを有するナット部材本体と、該ナット部材本体の外側に設けられていると共に、ナット部材本体の長さよりも短くて前記筒状移動フード体との境界近くに配設されており、ナット部材本体に対して回転可能であって、後端側に位置する規制部によって後方への抜け移動を規制されている筒体とを有し、該釣竿に使用する標準サイズのスピニングリールを装着した状態で把持した手の一部が前記ナット部材に届く寸法位置関係にあることを特徴とする釣竿を提供する。
【０００５】
請求項２では、前記ナット部材本体が合成樹脂で形成されており、前記筒体はナット部材本体よりも硬質であり、ナット部材本体外径と筒体内径との差は、ナットの摘み部を摘んでナット部材本体を回動させてリール足を強く緊締した場合に、その横断面形状が楕円状等の断面非円形に変形する際に、前記筒体の内周面との当接によって前記変形を押さえることができる程の径差である請求項１記載の釣竿を提供する。
【発明の効果】
【０００６】
本発明の請求項１では、標準サイズのスピニングリールを装着した状態で把持した手の一部がナット部材に届くが、該ナット部材は、ナット部材本体と、その外側に回転可能に設けられた筒体とを有し、この筒体は筒状移動フード体との境界近くに配設されているため、手の掌は筒体に接触することになる。従って、手首を左右に動かして掌がナット部材に接触しても、表面の筒体は掌の動きに追随できるため、手や手首の動きを阻害せず、操作性に優れる。また、筒体の存在のおかげで、ナット部材が緩まないで済む。更には、この筒体はナット部材本体よりも短いと共に、筒状移動フード体との境界近くに配設されているため、その後端より後方部のナット部材本体部は、ナット部材の摘み部とすることができ、ここを直接又は間接に摘んでナット部材の回動操作が可能となる。
【０００７】
請求項２では、請求項１の発明に対して筒体とナット部材本体との内外径差を制限している。即ち、ナット部材の摘み部（筒体よりも後方）を摘んで回動させてリール足を緊締させる操作を行うに際して強く操作する場合、合成樹脂製ナット部材本体が捩れる。この場合、ナット部材本体が薄肉の場合は、特に雌ねじ谷底部が薄肉となり、捩りによって合成樹脂製ナット部材本体の自由な変形（断面非円形となる変形）を許せば破損の虞があるが、その断面変形時に当接するように筒体の内径寸法がナット部材本体の外径寸法に対して近ければ、ナット部材本体の変形が阻止される。その結果、ナット部材本体が破損し難くなる。
【発明を実施するための最良の形態】
【０００８】
以下、本発明を図面を用いて詳細に説明する。
図１は本発明に係る釣竿の一種の磯竿のリール装着部の側面図であり、図２はその移動フードとナット部材の拡大部分縦断面図、図３はナット部材本体の拡大部分縦断面図、図４は筒体の拡大縦断面図、図５は筒体の製法説明図、図６はナット部材本体に装着している摘み部材の拡大図、図７は他の形態の摘み部材の拡大部分縦断面図である。
【０００９】
エポキシ樹脂等の合成樹脂をマトリックスとし、炭素繊維等の強化繊維で強化した繊維強化樹脂製竿管１０の所定位置外側に、合成樹脂（例えばナイロンやＡＢＳ）製の所定長さの筒状リール装着部本体１２を套嵌、接着接合させている。この筒状リール装着部本体の前側領域に套嵌させると共に接着接合させたカバー部材１４は、固定フードＦ１を一体に有しており、該固定フードの後方位置には移動フードＦ２が対向配置されている。該移動フードを有する部材は筒状体である。
【００１０】
これら両フード間の筒状リール装着部本体部がリール足ＲＦの載置部１２Ｓである。カバー部材は、このリール載置部とは径方向反対側の筒状リール装着部本体部を覆いつつ後方側に延伸している延伸部１４Ｅを有している。この延伸部は内側の筒状リール装着部本体とは隙間を有しており、移動フードを有する筒状の移動フード体１６が前進侵入可能であり、また、標準サイズのスピニングリールを緊締装着した場合に、図１に示す様に、筒状移動フード体の前部が侵入する。カバー部材の内、固定フード部分から連続する延伸部１４Ｅの領域は、スピニングリールを装着して把持した場合に、図示の如く主に手の掌が位置するが、その領域に孔１４Ｈを多数分散して設けているため滑り難く、また手が濡れていてもこれらの孔に水滴を吸収させ、滑り難くできる。また、筒状移動フード体１６の側部に設けた孔１６Ｈは指先が引っ掛り、滑り防止の作用をする。
【００１１】
ステンレスやチタンやマグネシウム合金等の金属製の筒状移動フード体１６の後端部は、その後側のナット部材１８に周知の形態で連結係合している。即ち、ナイロン等の合成樹脂製ナット部材本体１８Ａの前端近くの係合溝１８ＡＫに、筒状移動フード体１６の後端部が被さるように連結し、相対回転のみ可能となっている。また、筒状移動フード体には筒状リール装着部本体に設けた図示しない前後方向の溝に係合する係合部１６Ｋが形成されており、筒状移動フード体の回転を防止している。また、ナット部材本体１８Ａの内側には雌ねじ１８Ｍが設けてあり、筒状リール装着部本体の後部領域に設けた図示しない雄ねじと螺合する。従って、ナット部材１８を回動させて筒状移動フード体１６を前後に駆動できる。
【００１２】
ナット部材１８の一部であるナット部材本体１８Ａの外側には、係合溝１８ＡＫの直後にフランジ状の鍔部１８ＡＦが形成されている。一方、ナット部材本体の後部領域には、ゴム製の摘み部材１８Ｃが接着固定されており、前記鍔部とこの摘み部材との間には、この例では繊維強化樹脂製の筒体１８Ｂをナット部材本体の外周に回動自在に配設している。従って、図１に示す様にリールを装着した部位を把持して、各種竿操作を行う場合に、手の掌の一部がナット部材表面、即ち、筒体に接触しても、筒体は内側のナット部材本体に対して自由に回転できるため、手や手首の動きを阻害しないで済む。鍔部は回転しないが、この鍔部の幅（前後方向の厚さ）は１〜２ｍｍ程度に設定できるため、掌との摩擦は非常に小さく、手や手首の動きの邪魔にはならない。
【００１３】
上記の摘み部材からなる摘み部が筒体の後方抜け移動の規制部となっている。前方への移動規制は鍔部の存在である。この例でのナット部材本体はナイロン等の合成樹脂であるため、筒状移動フード体１６が金属製であっても、合成樹脂製の鍔部との回転接触では音が小さくて済み、また、筒体１８Ｂが既述の繊維強化樹脂製やその他金属製であっても、回転接触による音は小さくて済む。また、摘み部材の直後位置には、ナット部材本体外周に対してキャップ部材１８Ｄが接着固定されている。このキャップ部材はナイロンやＡＢＳ等の合成樹脂や、真鍮やステンレスやアルミニウム等の金属や、セラミックスで形成したり、これらの表面にメッキや塗装を施して、美観を向上させても良い。
【００１４】
筒体１８Ｂの外径は、ナット部材本体１８Ａの鍔部外径Ｄ２と実質的に同じである。一方、筒状移動フード体１６の後端外径Ｄ１は前記外径Ｄ２と実質的に同じであり、この境界部は面一状である。例えば、Ｄ１は２３．７ｍｍ、Ｄ２は２３．８ｍｍである。従って、図１のようにスピニングリールを装着した状態で把持した手の一部（掌の一部）がナット部材にまで達しても、ナット部材と筒状移動フード体との境界部において違和感を生ぜず、把持感が向上する。
【００１５】
また、前記摘み部材はこれを装着した状態の前端の外径Ｄ４（グリップ凸部Ｇを除いた領域の外径）は、筒体１８Ｂの後端外径Ｄ３と同じかこれよりも幾分大きい。更に、この摘み部材外周には、複数個のグリップ凸部Ｇが突出している。従って、ナット部材１８を回動させる場合に、この摘み部材からなる摘み部を摘んで回動させ易い。この摘み部材は、図７に示す様な細線状に前後方向に長いグリップ凸部Ｇ’を有する摘み部材１８Ｃ’であってもよい。更には、ナット部材本体への接合強度を向上させるため、ナット部材本体外周には前後方向に延伸した凸条１８ＡＴを適宜数設け、これに係合する溝１８ＣＯを摘み部材の内周に設けてもよい。
【００１６】
上記筒体１８Ｂは繊維強化樹脂製であり、図５を参照して製法、構造を説明する。芯金２０に対し、円周方向指向の引き揃え強化繊維の層を内側とし、外側に軸長方向指向の引き揃え強化繊維の層がくるようにプリプレグＰ２を巻回し、更にその外側に、一方が円周方向を指向し、他方が軸長方向を指向した両方向強化繊維を織ったプリプレグＰ３を巻回し、加圧加熱処理して成形する。プリプレグＰ３の繊維方向は、直交する±４５度方向に指向してもよい。また、長手方向に対して丁度４５度方向でなくとも３０〜６０度の範囲内の方向であればよい。また、織ることなく２方向の強化繊維が単に上下に重なったものでもよい。
【００１７】
この例では、プリプレグＰ２の強化繊維は縦弾性率が２６０００ｋｇｆ／ｍｍ２（２５４８００Ｎ／ｍｍ２）の炭素繊維であり、マトリックス樹脂であるエポキシ樹脂の樹脂比率は２５重量％、プリプレグＰ３は、縦弾性率が２４０００ｋｇｆ／ｍｍ２（２３５２００Ｎ／ｍｍ２）の炭素繊維であり、マトリックス樹脂であるエポキシ樹脂の樹脂比率は４０重量％である。プリプレグＰ２の厚さは０．１３１ｍｍであるが、３回巻回し、また、プリプレグＰ３は厚さが０．０９８ｍｍであり、１回巻回し、成形後の肉厚は約０．４９ｍｍである。
【００１８】
例えば、実用新案登録第２５１４３２６号公報に開示のリール装着部では、筒状移動フード体とナット部材との境界部に実質的な段差がある。リール足を把持した手の掌がナット部材にまで達する寸法関係のリール装着部を有する場合、ナット部材と筒状移動フード体との連結境界部において実質的な段差があれば、手に違和感を有し、快適な釣りが行えない。また、製造の容易さや軽量化等の観点から、一般に筒状のリール装着部本体は合成樹脂で形成するが、これに設けた雄ねじ部と螺合させるナット部材も、雌ねじ形成の容易さや、螺合の繰り返しによる互いのねじ部の摩損防止の観点から、ナット部材も合成樹脂で形成することが好ましい。更には、各竿種では概ね対象魚が定まっており、このため、竿管自体の大きさ（外径）もそれ相応の外径を有する必要がある。従って、この竿管を挿通させた筒状リール装着部本体を螺合挿通させる関係となるナット部材の内径も、所定の大きさを確保する必要がある。一方、リール装着部の外径寸法も、把持し易いことや扱い易いこと等から来る寸法制限がある。従って、ナット部材は内外径に制約があるが、更に外径寸法に特定の要望が有って、従来よりも小径にしようとすると、特に雌ねじの谷底部が薄くなり、合成樹脂製であることと併せて強度的に問題が生じ易い。即ち、ナット部材を捩るように回動させることによって筒状移動フード体を固定フード方向に強く押しつけてリール足を緊締するが、この操作の際に、ナット部材の雌ねじ谷底部を捩切るように損傷させ易い。
【００１９】
こうした理由により、リールを緊締させるために、摘み部を摘んでナット部材１８を回動操作してリール足を緊締しようとする際の力によって合成樹脂製ナット部材本体１８Ａが破損する虞があるが、上記のような繊維強化製や金属製等の筒体１８Ｂを外側に配設し、合成樹脂製ナット部材本体の断面非円形の変形を防止できる程両部材間隙間を小さく設定すれば、これによって合成樹脂製ナット部材本体の雌ねじ谷底部等の破損を防止できる。この筒体は合成樹脂製ナット部材本体よりも硬質であることが、前記変形防止の観点から好ましい。ここで述べた合成樹脂製ナット部材本体の破損防止という課題の無い場合においては、即ち、手や手首の動きの自在さを保証する課題のみの場合は、筒体と合成樹脂製ナット部材本体との径方向隙間に関しては特に制限は無い。
【００２０】
然しながら、本実施形態例のように、筒状移動フード体とナット部材との連結部付近を面一状に設定して把持感を向上させるためには、筒体の外径寸法が制約を受け、この意味では、筒体の内径にも制約があると言える。
本願に係る発明では、固定フードを有する部材や移動フードを有する部材の形態は任意であり、実施形態例とは異なっていてもよいことは明らかである。
【産業上の利用可能性】
【００２１】
本発明は、磯竿等の釣竿に適用できる。
【図面の簡単な説明】
【００２２】
【図１】図１は本発明に係る釣竿の要部側面図である。
【図２】図２は図１の移動フードとナット部材の拡大部分縦断面図である。
【図３】図３は図１のナット部材本体の拡大部分縦断面図である。
【図４】図４は図１の筒体の拡大縦断面図である。
【図５】図５は図４の筒体の製法説明図である。
【図６】図６は図１のナット部材本体に装着している摘み部材の拡大図である。
【図７】図７は他の形態の摘み部材の拡大部分縦断面図である。
【符号の説明】
【００２３】
１２                筒状リール装着部本体
１４Ｅ              延伸部
１６                筒状移動フード体
１８                ナット部材
１８Ａ              ナット部材本体
１８Ｂ              筒体
１８Ｃ              摘み部材
Ｆ１                固定フード
Ｆ２                移動フード
【図１】
2005185212.tif 000003
【図２】
2005185212.tif 000004
【図３】
2005185212.tif 000005
【図４】
2005185212.tif 000006
【図５】
2005185212.tif 000007
【図６】
2005185212.tif 000008
【図７】
2005185212.tif 000009